(57)【要約】  一態様において、送信ノードは、所定の長さを有する第１の送信間隔にわたって第１のＵＥへのダウンリンク送信をスケジューリングし、かつ第１の送信間隔において第１のＵＥへのダウンリンク送信を開始する。送信ノードは、第１のＵＥへのダウンリンク送信における送信ホールの第１の端を生成するために第１の送信間隔が終わる前に第１のＵＥへのダウンリンク送信を停止し、かつ送信ホールの第２の端において第１のＵＥへのダウンリンク送信を再開する。送信ノードは、送信ホール内で、第２のＵＥからアップリンク送信を受信する、または優先順位が高い送信を送信することができる。【選択図】図８
2019501559.tif 000002
【特許請求の範囲】
【請求項１】
送信ノードにおける方法であって、
所定の長さを有する第１の送信間隔にわたって第１のユーザ機器（ＵＥ）へのダウンリンク送信をスケジューリングすることと、
前記第１の送信間隔において前記第１のＵＥへの前記ダウンリンク送信を開始することと、
前記第１のＵＥへの前記ダウンリンク送信における送信ホールの第１の端を生成するために前記第１の送信間隔が終わる前に前記第１のＵＥへの前記ダウンリンク送信を停止することと、
前記送信ホールの第２の端において前記第１のＵＥへの前記ダウンリンク送信を再開することと、を含む、方法。
【請求項２】
前記送信ホール内で第２のＵＥからアップリンク送信を受信することをさらに含む、請求項１に記載の方法。
【請求項３】
前記第１の送信間隔の前記所定の長さより短い所定の長さを有する第２の送信間隔において第２のＵＥへのダウンリンク送信を開始することであって、前記第２の送信間隔は前記第１の送信間隔と少なくとも部分的に重複する、開始することと、
前記送信ホールにおいて前記第２のＵＥからアップリンク送信を受信することと、をさらに含む、請求項１または２に記載の方法。
【請求項４】
前記第１の送信間隔の前記所定の長さより短い所定の長さを有する第２の送信間隔において第２のＵＥへのダウンリンク送信を開始することであって、前記ダウンリンク送信を前記停止することおよび前記再開することは、前記第２の送信間隔の終わりと前記送信ホールを整合させるように行われる、開始することをさらに含む、請求項１から３のいずれか一項に記載の方法。
【請求項５】
前記送信ホールにおいて第２のＵＥへの優先順位が高いダウンリンク送信を送信することをさらに含む、請求項１に記載の方法。
【請求項６】
前記第１の送信間隔は所定の固定された継続時間の２つ以上のサブインターバルを含む、請求項１に記載の方法。
【請求項７】
所定の長さの１つのサブインターバルを有する第２の送信間隔において第２のＵＥへのダウンリンク送信を開始することと、前記送信ホールにおいて前記第２のＵＥからのアップリンク送信を受信することであって、前記送信ホールは前記第２の送信間隔が終わる前または終わる直後とする、受信することと、をさらに含む、請求項６に記載の方法。
【請求項８】
前記ダウンリンク送信を前記停止することおよび前記再開することは、２つ以上の前記サブインターバルのそれぞれにおいて前記第１のＵＥへの前記ダウンリンク送信において送信ホールを生成するために行われる、請求項６に記載の方法。
【請求項９】
前記第１のＵＥへの前記ダウンリンク送信を前記停止することおよび前記再開することは、前記送信ホールの継続時間で前記ダウンリンク送信の送信シンボルを保持することと、前記ダウンリンク送信の再開の際、保持された前記送信シンボルを送信することとを含む、請求項１に記載の方法。
【請求項１０】
送信ホールが必要とされることの判断に応答して、送信されるべきデータブロックに対するレートマッチングを変更すること、および前記送信ホール周辺で前記第１の送信間隔において前記ダウンリンク送信の残りのデータをマッピングすることによって、前記ダウンリンク送信への前記送信ホールの影響を軽減することをさらに含む、請求項１から９のいずれか一項に記載の方法。
【請求項１１】
前記第１のＵＥへの前記ダウンリンク送信に含まれるまたは関連付けられたシグナリングを送ることであって、前記シグナリングは前記送信ホールの存在を指示する、送ることをさらに含む、請求項１から１０のいずれか一項に記載の方法。
【請求項１２】
ユーザ機器（ＵＥ）における方法であって、
前記ＵＥへのダウンリンク送信が所定の長さを有する第１の送信間隔でスケジューリングされていることを判断することと、
前記第１の送信間隔において前記ダウンリンク送信を受信し始めることと、
前記第１の送信間隔が終わる前に、前記ＵＥへの前記ダウンリンク送信における送信ホールの存在を検出することと、
前記送信ホールによって生じた前記ダウンリンク送信への影響を軽減することと、を含む、方法。
【請求項１３】
前記送信ホールの存在を前記検出することは、パイロット信号の変更または前記ダウンリンク送信のチャネル予測に基づいて前記送信ホールの存在を検出することを含む、請求項１２に記載の方法。
【請求項１４】
前記送信ホールの存在を前記検出することは、前記ダウンリンク送信に含まれるまたは関連付けられたシグナリングに基づいて前記送信ホールの存在を検出することを含む、請求項１２に記載の方法。
【請求項１５】
前記ダウンリンク送信への影響を前記軽減することは、チャネル追跡のためにフィルタ設定を変更することを含む、請求項１２から１４のいずれか一項に記載の方法。
【請求項１６】
前記ダウンリンク送信への影響を前記軽減することは、前記送信ホールの存在を検出することに応答して、前記第１の送信間隔において受信されるデータブロックのレートマッチングを変更することと、前記送信ホールの前および後に、前記第１の送信間隔において受信されたデータシンボルを使用して前記データブロックを復号することと、を含む、請求項１２から１５のいずれか一項に記載の方法。
【請求項１７】
前記ダウンリンク送信への影響を前記軽減することは、前記送信ホールに対応する１つまたは複数のシンボル時間で、チャネル復号に対する符号化ビットの軟値をゼロに設定することを含む、請求項１２から１５のいずれか一項に記載の方法。
【請求項１８】
送信を送りかつ受信するように構成される送受信回路構成と、
前記送受信回路構成を介して、
所定の長さを有する第１の送信間隔にわたって第１のユーザ機器（ＵＥ）へのダウンリンク送信をスケジューリングするように、
前記第１の送信間隔において前記第１のＵＥへの前記ダウンリンク送信を開始するように、
前記第１のＵＥへの前記ダウンリンク送信における送信ホールの第１の端を生成するために前記第１の送信間隔が終わる前に前記第１のＵＥへの前記ダウンリンク送信を停止するように、および、
前記送信ホールの第２の端において前記第１のＵＥへの前記ダウンリンク送信を再開するように構成される処理回路構成と、を含む、送信ノード。
【請求項１９】
前記処理回路構成は、前記第１のＵＥへの前記ダウンリンク送信に含まれるまたは関連付けられたシグナリングを送るように構成され、前記シグナリングは前記送信ホールの存在を指示する、請求項１８に記載の送信ノード。
【請求項２０】
ユーザ機器（ＵＥ）であって、
送信を送りかつ受信するように構成される送受信回路構成と、
前記送受信回路構成を介して、
前記ＵＥへのダウンリンク送信が、所定の長さを有する第１の送信間隔でスケジューリングされることを判断するように、
前記第１の送信間隔において前記ダウンリンク送信を受信し始めるように、
前記第１の送信間隔が終わる前に、前記ＵＥへの前記ダウンリンク送信における送信ホールの存在を検出するように、および、
前記送信ホールによって生じた前記ダウンリンク送信への影響を軽減するように構成される処理回路構成と、を含む、ユーザ機器（ＵＥ）。
【請求項２１】
前記処理回路構成は、パイロット信号の変更または前記ダウンリンク送信のチャネル予測に基づいて前記送信ホールの存在を検出するように構成される、請求項２０に記載のＵＥ。
【請求項２２】
前記処理回路構成は、前記ダウンリンク送信に含まれるまたは関連付けられたシグナリングに基づいて前記送信ホールの存在を検出するように構成される、請求項２０に記載のＵＥ。
【請求項２３】
送信ノードにおけるプロセッサに対するプログラム命令を含むコンピュータプログラム製品であって、
前記プログラム命令は、前記プログラム命令が前記プロセッサによって実行される時、前記送信ノードに、
所定の長さを有する第１の送信間隔にわたって第１のユーザ機器（ＵＥ）へのダウンリンク送信をスケジューリングすることと、
前記第１の送信間隔において前記第１のＵＥへの前記ダウンリンク送信を開始することと、
前記第１のＵＥへの前記ダウンリンク送信における送信ホールの第１の端を生成するために前記第１の送信間隔が終わる前に前記第１のＵＥへの前記ダウンリンク送信を停止することと、
前記送信ホールの第２の端において前記第１のＵＥへの前記ダウンリンク送信を再開することと、を行わせるように構成される、コンピュータプログラム製品。
【請求項２４】
請求項２３に記載の前記コンピュータプログラム製品を記憶して含む、非一時的なコンピュータ可読媒体。
【請求項２５】
ユーザ機器（ＵＥ）におけるプロセッサに対するプログラム命令を含むコンピュータプログラム製品であって、
前記プログラム命令は、前記プログラム命令が前記プロセッサによって実行される時、前記ＵＥに、
前記ＵＥへのダウンリンク送信が所定の長さを有する第１の送信間隔でスケジューリングされていることを判断することと、
前記第１の送信間隔において前記ダウンリンク送信を受信し始めることと、
前記第１の送信間隔が終わる前に、前記ＵＥへの前記ダウンリンク送信における送信ホールの存在を検出することと、
前記送信ホールによって生じた前記ダウンリンク送信への影響を軽減することと、を行わせるように構成される、コンピュータプログラム製品。
【請求項２６】
請求項２５に記載の前記コンピュータプログラム製品を記憶して含む、非一時的なコンピュータ可読媒体。
【発明の詳細な説明】
【技術分野】
【０００１】
本開示は、ワイヤレス通信システムに関し、より詳細には、ダウンリンク送信における送信ホールを生成するための技法および装置に関する。本開示は、送信ノードにおける方法および送信ノードに関する。本開示はまた、ユーザ機器（ＵＥ）における方法およびＵＥに関する。
【背景技術】
【０００２】
第３世代パートナーシッププロジェクト（３ＧＰＰ）のメンバによって開発されたＬｏｎｇ−Ｔｅｒｍ  Ｅｖｏｌｕｔｉｏｎ（ＬＴＥ）ワイヤレス通信ネットワークは、ダウンリンクにおいては直交周波数分割多重化（ＯＦＤＭ）を、およびアップリンクにおいては離散フーリエ変換拡散（ＤＦＴ−拡散）ＯＦＤＭ（シングルキャリア周波数分割マルチプルアクセスまたはＳＣ−ＦＤＭＡとも称される）を使用する。よって、図１に示されるように、時間周波数グリッドとして、基本ＬＴＥダウンリンク物理リソースを見ることができる。この場合、それぞれのリソースエレメントは、１つのＯＦＤＭシンボル間隔中に１つのＯＦＤＭサブキャリアに対応する。アップリンクサブフレームは、ダウンリンクと同じサブキャリアスペース、および、ダウンリンクにおけるＯＦＤＭシンボルと同じ数の、時間領域におけるＳＣ−ＦＤＭＡシンボルを有する。
【０００３】
時間領域において、ＬＴＥダウンリンク送信は、１０ｍｓの無線フレームに組織化され、無線フレームのそれぞれは、図２に示されるように、Ｔｓｕｂｆｒａｍｅ＝１ｍｓの長さの１０の同じサイズのサブフレームから成る。通常のサイクリックプレフィックスについて、１つのサブフレームは１４のＯＦＤＭシンボルから成る。それぞれのシンボルの継続時間はおよそ７１．４μｓである。
【０００４】
ＬＴＥネットワークの開発および配置によって、ユーザに大幅に増加したワイヤレスデータレートが提供され、かつ、多種多様のモバイルブロードバンド（ＭＢＢ）サービスの開発が可能になったが、これらのサービスに対する需要は伸び続けている。帯域幅および性能の改善に対するこの需要の伸びに加えて、マシン型通信（ＭＴＣ）におけるマシン間（Ｍ２Ｍ）デバイスなどの特殊目的のデバイスに対する新規の応用は、開発され続けている。既存のＬＴＥ標準による問題点のうちの１つは、固定の大型サブフレーム構造を使用することであり、これによって、クリティカルなＭＴＣ（Ｃ−ＭＴＣ）シナリオでのケースが多い極小サイズのデータに対するリソースの消耗が生じる。これらの市場原理は、モバイルデータアプリケーションに対するさまざまなサービス要件により良くマッチさせるために、柔軟性を改善したワイヤレス通信技術が必要とされていること指示する。
【０００５】
それ故に、「５Ｇ」ネットワークと称される場合がある次世代のセルラーネットワークに対する、柔軟性が高い物理層が設計されている。この新規の物理層の設計は、レイテンシ、信頼性、およびスループットを含む、広範な変動する要件を満たすように適合させる。提案された適合は、異なるサブキャリアスペースのみならず、混在モード動作におけるより小さい可変サイズのサブフレームを使用することを含む。
【０００６】
従って、５Ｇネットワークは、非常に低いレイテンシを可能にするなどのために、短くなったサブフレームをサポートするように設計可能である。同時に、低レイテンシを必要としないサービスについては、例えば、スケジューリングプロセスの一部として、複数のサブフレームを、より大きい時間単位または送信間隔にアグリゲートする（またはバンドリングする）ことは有益となり得る。
【発明の概要】
【０００７】
本発明は、独立請求項において定められ、ここで該請求項に言及する。
【０００８】
低レイテンシに関する１つの態様は、高速フィードバックの必要性、または、進行中のスケジューリングされた送信間隔が終わる前に準備ができている場合でも、準備でき次第アップリンクフィードバックを得る能力である。第２のＵＥから高速フィードバックを受信することは、第１のＵＥに対する現行のダウンリンク送信が、長くなった送信間隔にわたって、恐らくは、送信間隔の複数のサブインターバル（例えば、サブフレーム）に及んで、スケジューリングされる場合、困難であることがある。それ故に、本明細書に説明されるさまざまな実施形態は、ダウンリンク送信のスケジューリングされた送信間隔における送信「ホール」を生成して、スケジューリングされた長くなった送信間隔の再開および完了前に送信ホール内のフィードバックアップリンク送信を可能にする。
【０００９】
いくつかの実施形態によると、送信ノードにおける方法は、所定の長さを有する第１の送信間隔にわたって第１のユーザ機器（ＵＥ）へのダウンリンク送信をスケジューリングすることと、第１の送信間隔において第１のＵＥへのダウンリンク送信を開始することとを含む。方法はまた、第１のＵＥへのダウンリンク送信における送信ホールの第１の端を生成するために第１の送信間隔が終わる前に第１のＵＥへのダウンリンク送信を停止することと、送信ホールの第２の端において第１のＵＥへのダウンリンク送信を再開することとを含む。方法は、送信ホール内で第２のＵＥからアップリンク送信を受信することをさらに含むことができる。
【００１０】
いくつかの実施形態によると、ＵＥにおける方法は、ＵＥへのダウンリンク送信が所定の長さを有する第１の送信間隔でスケジューリングされていることを判断することと、第１の送信間隔においてダウンリンク送信を受信し始めることとを含む。方法はまた、第１の送信間隔が終わる前に、ＵＥへのダウンリンク送信における送信ホールの存在を検出することと、送信ホールによって生じたダウンリンク送信への影響を軽減することとを含む。
【００１１】
いくつかの実施形態によると、送信ノードは、送信を送りかつ受信するように構成される送受信回路構成、および処理回路構成を含む。処理回路構成は、送受信回路構成を介して、所定の長さを有する第１の送信間隔にわたって第１のＵＥへのダウンリンク送信をスケジューリングするように、かつ、第１の送信間隔において第１のＵＥへのダウンリンク送信を開始するように構成される。処理回路構成は、第１のＵＥへのダウンリンク送信における送信ホールの第１の端を生成するために第１の送信間隔が終わる前に第１のＵＥへのダウンリンク送信を停止するように構成される。処理回路構成は、送信ホールの第２の端において第１のＵＥへのダウンリンク送信を再開するようにさらに構成される。
【００１２】
いくつかの実施形態によると、ＵＥは、送信を送りかつ受信するように構成される送受信回路構成、および処理回路構成を含む。処理回路構成は、送受信回路構成を介して、ＵＥへのダウンリンク送信が、所定の長さを有する第１の送信間隔でスケジューリングされることを判断するように、かつ、第１の送信間隔においてダウンリンク送信を受信し始めるように構成される。処理回路構成はまた、第１の送信間隔が終わる前に、ＵＥへのダウンリンク送信における送信ホールの存在を検出するように、および、送信ホールによって生じたダウンリンク送信への影響を軽減するように構成される。
【００１３】
他の実施形態は、処理回路構成によって実行される時、上記の方法を行わせるプログラム命令を含むコンピュータプログラム製品および／またはコンピュータ可読媒体を含む。
【００１４】
当然ながら、本発明の実施形態は、上記の特徴および利点に限定されない。実際は、当業者は、以下の詳細な説明を読みかつ添付の図面を見ることで上記の特徴および利点を認識するであろう。
【図面の簡単な説明】
【００１５】
【図１】ＬＴＥダウンリンク物理リソースを示す図である。
【図２】ＬＴＥ時間領域構造を示す図である。
【図３】混在モード動作における長い送信間隔および短い送信間隔の例を示す図である。
【図４】ダウンリンク送信の後のアップリンクフィードバックを示す図である。
【図５】長くなったダウンリンク送信中に高速フィードバックを提供できないことを示す図である。
【図６】いくつかの実施形態による、ダウンリンク送信における送信ホールを示す図である。
【図７】いくつかの実施形態による、送信ノードのブロック図である。
【図８】いくつかの実施形態による、ダウンリンク送信における送信ホールを生成するための送信ノードにおける方法を示すフローチャートである。
【図９】いくつかの実施形態による、ＵＥのブロック図である。
【図１０】いくつかの実施形態による、ダウンリンク送信における送信ホールを考慮したＵＥにおける方法を示すフローチャートである。
【図１１】いくつかの実施形態による、ダウンリンク送信における静的送信ホールを示す図である。
【図１２】いくつかの実施形態による、ダウンリンク送信における動的送信ホールを示す図である。
【図１３】いくつかの実施形態による、ダウンリンク送信における非常送信ホールを示す図である。
【図１４】いくつかの実施形態による、送信ノードの機能実装形態を示す図である。
【図１５】いくつかの実施形態による、ＵＥの機能実装形態を示す図である。
【図１６−１】いくつかの好ましい実施形態による、送信ノードにおける方法を示すフローチャートである。
【図１６−２】いくつかの好ましい実施形態による、送信ノードにおける方法を示すフローチャートである。
【図１７−１】いくつかの好ましい実施形態による、ＵＥにおける方法を示すフローチャートである。
【図１７−２】いくつかの好ましい実施形態による、ＵＥにおける方法を示すフローチャートである。
【発明を実施するための形態】
【００１６】
データを同時に受信する複数の端末があり得、これらの端末のそれぞれはアップリンクにおいてフィードバックを送信することになる。「５Ｇ」ネットワークにおいて、ＵＥは、異なる送信継続時間または送信間隔（異なるバンドリングサイズ、異なるサブフレームアグリゲーションレベル）を有してよく、この送信間隔は、個々のＵＥに対してスケジューリングされた間隔である。例えば、図３は、長い送信間隔およびより短い送信間隔の、２つのサイズの送信間隔を示す。第１のＵＥ（ＵＥ１）は、モバイルブロードバンド（ＭＢＢ）トラフィックをサポートするように長い送信間隔でスケジューリングされ、第２のＵＥ（ＵＥ２）は、Ｃ−ＭＴＣトラフィックをサポートするようにより短い送信間隔でスケジューリングされる。
【００１７】
現行のダウンリンク送信が第１のＵＥに対して長くなった送信間隔にわたってスケジューリングされる場合、フィードバックを第２のＵＥから迅速に得ることは困難である場合がある。図４は、２つ以上のサブインターバルに及ぶ送信間隔によるダウンリンク送信の後のアップリンク送信におけるＵＥからのフィードバック４０２を示す。論述の目的で、サブインターバルは多くの場合サブフレームと同等とすることができる。図５によって示される例では、全二重に対応していない基地局（ＴＤＤ基地局または半二重周波数分割複信（ＦＤＤ）基地局のどちらか）が、より短い送信間隔（例えば、１つのサブインターバルまたは１つのサブフレーム）で第２のＵＥからフィードバック５０２を受信することは、該基地局が長くなった送信間隔（例えば、２つのサブインターバルまたは２つのサブフレーム）で第１のＵＥへのダウンリンクにおいて現時点で送信しているため、不可能となる。
【００１８】
全てのＵＥが同じ送信継続時間を有するように制限することは、この問題を解決すると思われるが、非常に短いレイテンシを必要としないＵＥに対しても、柔軟性が低減され、かつ場合によっては制御シグナリングオーバーヘッドが増加することになる。短い送信間隔を使用する端末（図５の例におけるＵＥ＃２）からアップリンクフィードバック５０２を受信することができるように、基地局は、長くなった送信間隔を使用する端末（図５におけるＵＥ＃１）へのダウンリンク送信をある（短い）期間停止する必要がある。しかしながら、長くなった送信間隔の終わりに停止することは高速フィードバックを提供しないことになる。
【００１９】
それ故に、本明細書に説明されるさまざまな実施形態は、アップリンクフィードバック５０２がスケジューリングされた長くなった送信間隔の完了前に受信可能とされるように、ダウンリンク送信のスケジューリングされた送信間隔において送信「ホール」を生成する。送信ホールは、ダウンリンク送信におけるホールまたはギャップの開始を指示する第１の端、および、ダウンリンク送信のホールの終わりおよび再開を指示する第２の端を有することになる。このような送信ホールは図６に示される。以下の説明では、フィードバックがダウンリンク送信に応答したものであると想定されるが、例えば、スケジューリングリクエストまたはチャネル状態情報（ＣＳＩ）フィードバックといったフィードバックの他の理由も予測され得る。いくつかの実施形態によって、優先順位の低いサービスに対してスケジューリングされたダウンリンク送信間隔において生成された送信ホールにおける優先順位の高い送信またはレイテンシの影響を受けるダウンリンク送信が提供される。これは、ＦＤＤおよびＴＤＤに該当する場合がある。
【００２０】
図７は、いくつかの実施形態による、無線アクセスネットワークノード３０などの送信ノードの図を示す。無線アクセスネットワークノード３０は、基地局、または基地局コントローラと協働して動作する基地局とすることができる。ネットワークノード３０は、ネットワークノードまたはピアノードと通信するために１つまたは複数の通信インターフェース回路３８を含む。ネットワークノード３０は、ＵＥなどのワイヤレスデバイスに無線インターフェースを提供し、この無線インターフェースは、１つまたは複数のアンテナ３４および送受信回路構成３６を介して実装される。送受信回路構成３６は、送信機回路、受信機回路、および、通信サービスを提供する目的で無線アクセス技術に従って信号を送信かつ受信するように一括して構成される関連の制御回路を含むことができる。さまざまな実施形態によると、ネットワークノード３０は、１つまたは複数のピアノードまたはコアネットワークノードと通信できる。送受信回路構成３６は、ワイヤレス通信標準（例えば、ＧＳＭ、ＧＰＲＳ、ＷＣＤＭＡ、ＨＳＤＰＡ、ＬＴＥ、ＬＴＥ−Ａｄｖａｎｃｅｄ、５Ｇなど）に従って動作させるセルラー通信サービスを使用して通信するように構成される。
【００２１】
ネットワークノード３０は、通信インターフェース回路３８および／または送受信回路構成３６と動作可能に関連付けられた処理回路構成４０も含む。処理回路構成４０は、１つまたは複数のデジタルプロセッサ４２、例えば、１つまたは複数のマイクロプロセッサ、マイクロコントローラ、デジタル信号プロセッサもしくはＤＳＰ、フィールドプログラマブルゲートアレイもしくはＦＰＧＡ、複合プログラマブル論理デバイスもしくはＣＰＬＤ、特定用途向け集積回路もしくはＡＳＩＣ、または、これらの任意の組合せを含む。より一般的には、処理回路構成４０は、固定回路構成、または、本明細書に教示される機能性を実施するプログラム命令の実行によって特別に構成されるプログラマブル回路構成を含んでよい、または、固定回路構成およびプログラマブル回路構成のある組合せを含んでよい。プロセッサ４２はマルチコアであってよい。
【００２２】
処理回路構成４０はメモリ４４も含む。メモリ４４は、いくつかの実施形態では、１つまたは複数のコンピュータプログラム４６、およびオプションとして構成データ４８を記憶する。メモリ４４は、コンピュータプログラム４６に対する非一時的記憶装置を提供し、かつ、ディスク記憶装置、ソリッドステートメモリ記憶装置、またはこれらの任意の組合せといった、１つまたは複数のタイプのコンピュータ可読媒体を含むことができる。非限定的な例として、メモリ４４は、処理回路構成４０にあってよい、および／または処理回路構成４０から分離してよい、ＳＲＡＭ、ＤＲＡＭ、ＥＥＰＲＯＭ、フラッシュメモリの任意の１つまたは複数を含んでよい。一般に、メモリ４４は、ノード３０によって使用されるコンピュータプログラム４６および任意の構成データ４８の非一時的記憶装置を提供する１つまたは複数のタイプのコンピュータ可読記憶媒体を含む。
【００２３】
ネットワークノード３０は、ダウンリンク送信における送信ホールを生成するおよび／または使用するように構成される。処理回路構成４０は、送受信回路構成３６を使用して、所定の長さを有する第１の送信間隔にわたって第１のＵＥへのダウンリンク送信をスケジューリングし、かつ第１の送信間隔において第１のＵＥへのダウンリンク送信を開始するように構成される。処理回路構成４０はまた、第１のＵＥへのダウンリンク送信における送信ホールの第１の端を生成するために第１の送信間隔が終わる前に第１のＵＥへのダウンリンク送信を停止するように構成される。処理回路構成４０は、送信ホールの第２の端において第１のＵＥへのダウンリンク送信を再開するように構成される。処理回路構成４０は、送受信回路構成３６を使用して、送信ホール内で別のＵＥからアップリンク送信を受信することができる。
【００２４】
場合によって、ネットワークノード３０は、離散フーリエ変換（ＤＦＴ）／逆ＤＦＴ（ＩＤＦＴ）処理を行うための専用デジタルハードウェアを使用することを含む、マルチキャリア変調を行うように構成される。
【００２５】
実装形態に関係なく、処理回路構成４０は、上記の実施形態において説明されるような動作を行うように構成される。例えば、処理回路構成４０は、図８におけるフローチャートによって示される方法８００を行うように構成される。方法８００は、所定の長さを有する第１の送信間隔にわたって第１のＵＥへのダウンリンク送信をスケジューリングすること（ブロック８０２）と、第１の送信間隔において第１のＵＥへのダウンリンク送信を開始すること（ブロック８０４）とを含む。方法はまた、第１のＵＥへのダウンリンク送信における送信ホールの第１の端を生成するために第１の送信間隔が終わる前に第１のＵＥへのダウンリンク送信を停止すること（ブロック８０６）と、送信ホールの第２の端において第１のＵＥへのダウンリンク送信を再開すること（ブロック８０８）とを含む。さまざまな実施形態では、ダウンリンク送信は、不利益なデータの損失がなく、および／または長くなったダウンリンク送信の再送信の必要なく再開可能である。
【００２６】
方法８００は、送信ホール内で別のＵＥからアップリンク送信を受信すること、または該ＵＥまたは他のＵＥへの優先順位が高いダウンリンク送信を送信することをさらに含むことができる。ある例では、方法８００は、第１の送信間隔の所定の長さより短い所定の長さを有する第２の送信間隔において第２のＵＥへのダウンリンク送信を開始することを含む。第２の送信間隔は、第１の送信間隔と少なくとも部分的に重複することができる。アップリンク送信は送信ホールにおいて第２のＵＥから受信される。場合によって、第１のＵＥへのダウンリンク送信の停止および再開は、第２の送信間隔の終わりと送信ホールを整合させるように行われる。
【００２７】
いくつかの実施形態によると、基地局は、ＵＥに通知することなくホールを生成するために送信を単に停止する。これはブラインドパンクチャと見なされてよい。受信機から見ると、これは、送信されたビットのいくつかの損失のように思われる。誤り訂正機能が十分良好である（例えば、符号レートが低い）場合、受信機はここから回復することができる場合がある。しかしながら、多くの場合、これは可能ではなく、第１のＵＥへの送信はホールによって大きな影響を受け、データの損失を生じさせる（または再送信を必要とする）。
【００２８】
送信ノードまたは基地局は、この影響を軽減するための対応策を取ることができる。いくつかの実施形態によると、ダウンリンク送信の停止および再開は、送信ホールの継続時間でダウンリンク送信の送信シンボルを保持することと、ダウンリンク送信の再開の際、保持された送信シンボルを送信することとを含むことができる。換言すれば、基地局は、送信ホールが必要とされることの判断に応答して、送信されるべきデータブロックに対するレートマッチングを変更すること、および送信ホール周辺で第１の送信間隔においてダウンリンク送信の残りのデータをマッピングすることによってダウンリンク送信への送信ホールの影響を軽減する。
【００２９】
対応するやり方で、受信機は、このようなパンクチャを検出すること、また送信ホールへの影響を軽減するための対応策を取ることを試みることができる。図９は、いくつかの実施形態による、ＵＥ５０などのワイヤレスデバイスの図を示す。容易に説明するために、ユーザ機器５０は、ネットワークにおいて動作可能である任意のワイヤレスデバイスを表すと見なすこともできる。ＵＥ５０は、本明細書では、無線信号上でネットワークノードまたは別のＵＥと通信可能である任意のタイプのワイヤレスデバイスとすることができる。ＵＥ５０は、無線通信デバイス、ターゲットデバイス、デバイス間（Ｄ２Ｄ）ＵＥ、マシン型ＵＥまたはマシン間通信（Ｍ２Ｍ）対応ＵＥ、ＵＥを搭載したセンサ、ＰＤＡ（携帯情報端末）、タブレット、モバイル端末、スマートフォン、ラップトップを埋め込み搭載した（ＬＥＥ）ラップトップ装着機器（ＬＭＥ）、ＵＳＢドングル、宅内機器（ＣＰＥ）などであってもよい。
【００３０】
ＵＥ５０は、アンテナ５４および送受信回路構成５６を介して、ネットワークノード３０など、無線アクセスネットワークノードまたは基地局と通信する。送受信回路構成５６は、送信機回路、受信機回路、および、セルラー通信サービスを提供する目的で無線アクセス技術に従って信号を送信かつ受信するように一括して構成される関連の制御回路を含むことができる。
【００３１】
ＵＥ５０は、無線送受信回路構成５６と動作可能に関連付けられた処理回路構成６０も含む。処理回路構成６０は、１つまたは複数のデジタル処理回路６２、例えば、１つまたは複数のマイクロプロセッサ、マイクロコントローラ、デジタル信号プロセッサもしくはＤＳＰ、フィールドプログラマブルゲートアレイもしくはＦＰＧＡ、複合プログラマブル論理デバイスもしくはＣＰＬＤ、特定用途向け集積回路もしくはＡＳＩＣ、または、これらの任意の融合体を含む。より一般的には、処理回路構成６０は、固定回路構成、または、本明細書において教示される機能性を実施するプログラム命令の実行によって特別に適合されるプログラマブル回路構成を含んでよい、または、固定回路構成およびプログラムされた回路構成のある融合体を含んでよい。処理回路構成６０はマルチコアであってよい。
【００３２】
処理回路構成６０はメモリ６４も含む。メモリ６４は、いくつかの実施形態では、１つまたは複数のコンピュータプログラム６６、およびオプションとして構成データ６８を記憶する。メモリ６４は、コンピュータプログラム６６に対する非一時的記憶装置を提供し、かつ、ディスク記憶装置、ソリッドステートメモリ記憶装置、またはこれらの任意の融合体といった、１つまたは複数のタイプのコンピュータ可読媒体を含むことができる。非限定的な例として、メモリ６４は、処理回路構成６０にあってよい、および／または処理回路構成６０から分離してよい、ＳＲＡＭ、ＤＲＡＭ、ＥＥＰＲＯＭ、およびフラッシュメモリの任意の１つまたは複数を含む。一般に、メモリ６４は、ユーザ機器５０によって使用されるコンピュータプログラム６６および任意の構成データ６８の非一時的記憶装置を提供する１つまたは複数のタイプのコンピュータ可読記憶媒体を含む。
【００３３】
ＵＥ５０は、ＵＥへのダウンリンク送信において体感した送信ホールの影響を考慮するように構成される。例えば、処理回路構成６０は、処理回路構成６０が、送受信回路構成５６を使用して、ＵＥへのダウンリンク送信が所定の長さを有する第１の送信間隔でスケジューリングされていることを判断するように、かつ、第１の送信間隔においてダウンリンク送信を受信し始めるように構成するメモリ６４において記憶されるコンピュータプログラム６６を実行することができる。処理回路構成６０はまた、第１の送信間隔が終わる前に、ＵＥへのダウンリンク送信における送信ホールの存在を検出するように、および送信ホールによって生じたダウンリンク送信への影響を軽減するように構成される。
【００３４】
ＵＥ５０の処理回路構成６０はまた、図１０の方法１０００などの方法を行うように構成される。方法１０００は、ＵＥへのダウンリンク送信が所定の長さを有する第１の送信間隔でスケジューリングされていることを判断すること（ブロック１００２）と、第１の送信間隔においてダウンリンク送信を受信し始めること（ブロック１００４）とを含む。方法１０００はまた、第１の送信間隔が終わる前に、ＵＥへのダウンリンク送信における送信ホールの存在を検出すること（ブロック１００６）と、送信ホールによって生じたダウンリンク送信への影響を軽減すること（ブロック１００８）とを含む。
【００３５】
ＵＥ５０は受信機の例として挙げられ、ネットワークノード３０は送信ノードの例として挙げられるが、該技法は、より一般的には、任意の２つの無線ノード間で任意の方向において適用可能である。
【００３６】
送信ホールの検出は、チャネル予測またはパイロット信号の変更を監視することに基づいてよい。例えば、新規の送信が元の送信と置き換えられる場合、パイロット送信は変更することになり、チャネル予測は唐突に変更することになる。ホールは、ＵＥが予想するパイロットが送信されない時に、またはＵＥ間チャネルがｅＮＢからＵＥまでのチャネルと異なっていることに起因して、検出されてよい。送信ホールは、ダウンリンク送信に含まれるまたは関連付けられたシグナリングに基づいて検出されてもよい。
【００３７】
送信ホールの影響の軽減は、チャネル追跡のためにフィルタ設定を変更することを含んでよい。軽減は、送信ホールの存在を検出することに応答して、第１の送信間隔において受信されるデータブロックのレートマッチングを変更することと、送信ホールの前および後に、第１の送信間隔において受信されたデータシンボルを使用してデータブロックを復号することとを含むこともできる。他の場合では、軽減は、送信ホールに対応する１つまたは複数のシンボル時間で、チャネル復号に対する符号化ビットの軟値をゼロに設定することを含む。
【００３８】
基地局は、送信ホールをダウンリンク送信において生じさせることができる場所をあらかじめ定めることができる。場合によって、基地局は、サブインターバルがサブインターバルのアグリゲーションを使用する送信の一部であっても、未使用の送信間隔のそれぞれのダウンリンクサブインターバルの最終部を残す。例えば、図１１に示される静的送信ホールシナリオにおいて、ＵＥ送信フィードバックがある場合は常にホールがある。基地局、場合により、受信機は、このような送信ホールを考慮することができる。
【００３９】
さまざまな実施形態では、第１の送信間隔は、例えば、単一のサブインターバルが、システムによってサポートされるいずれのＵＥに対してもスケジューリング可能である最小の間隔に対応する場合、所定の固定された継続時間の２つ以上のサブインターバルを含むことができる。さらにまた、サブフレームは送信間隔のサブインターバルの例として使用されることになるが、サブインターバルはサブフレームに限定されることを意味するものではない。第１の送信間隔は、以降でサブフレームと呼ばれる複数のサブインターバル、またはサブフレームバンドルを含むことができるが、第２のＵＥへの送信に対する第２の送信間隔は、１つのサブフレームのみ、または、第１の送信間隔より少ないまたは小さいサブフレームを含むことができる。場合によって、第１の送信間隔における送信ホールは、第２の送信間隔が終わる前または直後になる。第１のＵＥへのダウンリンク送信の停止および再開は、第２の送信間隔の終わりと送信ホールを整合させるように行われてよい。
【００４０】
他の実施形態によると、半静的ホールが使用可能である。これらの実施形態は、静的ホールの実施形態を拡張したものである。それぞれのサブフレームの終わりにホールを有する代わりに、システムは、第２の、第３の、第４の、・・・第ｎのサブフレームごとにのみホールを構成することができる。換言すれば、サブフレームは、一般に、ある（固定されたまたは構成可能な）パターンに従ってよい。複数のＵＥが同時にスケジューリングされる場合、これは、フィードバックのために送信ホールの存在を活用するためだけに、第２の、第３の、第４の、・・・第ｎのサブフレームごとに単一サブフレーム送信を開始させる必要があると思われる。
【００４１】
送信ホールはまた、いくつかの実施形態によって、図１２に示されるように、動的ベースでスケジューリングされてよい。例えば、マルチサブフレーム送信のスケジューリング割り当ては、送信ホールを生成するかどうか、かつ生成する場合、サブフレームのどれにおいておよび／またはどの場所で生成するかについての送信ホール情報を包含する。動的シグナリングは、例えば、ホールが想定されるべきである送信間隔またはサブフレームバンドルにおいてサブフレームを指示するそれぞれのサブフレームまたはビットマップの終わりにホールを想定するかどうかのフラグを有することによって、ホールを直接指示することが可能である。代替的には、動的シグナリングは、例えば、００＝ホールなし、０１＝送信間隔の第１のサブフレームにおけるホール、１０＝送信間隔における全てのサブフレームにおけるホールといった、静的にまたは半静的に構成される「ホールパターン」のセット内へのポインタとして使用可能である。いくつかの実施形態によると、送信ホールの第１の端および第２の端を具体的に定める送信ホール情報が受信される。ダウンリンク送信の停止および再開は次いで、送信ホール情報に従って行われる。
【００４２】
図１３は「非常ホール」のシナリオを示す。先の実施形態のいくつかにおいて、送信ホールの必要性は、長い第１の送信間隔をスケジューリングする時に知られる。しかしながら、これはいつでも当てはまるというわけではない場合がある。これは、進行中の送信中に非常ホールを動的に生成する機構を有することによって対処可能である。これは、例えば、現時点で進行中の送信で、非常ホールの必要性に関する情報をＵＥに送信することによって行われ得る。非常信号を監視する必要性は、原理上は、追加の柔軟性が必要とされる場合にスケジューリング割り当てにおいてもたらされ得る。
【００４３】
「非常ホール」を生成することは、詳細な送信構造に左右されて、ブラインドパンクチャと同様のデータの受信に影響を与える場合がある。しかしながら、再送信プロトコルがデータの一部のみ、例えば、非常ホールによって損失した一部が再送信される必要があるような場合には、該影響はそれほど深刻にならない場合がある。非常ホールはまた、送信側および受信側両方を、この両方の側に既知である場合、考慮に入れることができる。非常ホールを考慮するために、レートマッチングは変更可能であり、残りのデータは、非常ホールによりダウンリンク送信を単にパンクチャする代わりに非常ホール周辺にマッピングされ得る。別の可能性は、非常ホールの継続時間によって、進行中の送信を「遅延させる」こと、または送信時のシンボルによって、ホールの影響を打ち消すことである。例えば、ｔ１においてホールがない間隔［ｔ１、ｔｅｎｄ］で送信されることになる送信の一部は、代わりに、間隔［ｔ１＋ｔｈｏｌｅ、ｔｅｎｄ＋Ｔｈｏｌｅ］中に送信される。
【００４４】
非常ホールに関する情報を含む送信ホール情報は、ダウンリンク制御チャネル上でシグナリングされてよい。これは、データを受信している間にＵＥがダウンリンク制御チャネルを監視することを必要とする。制御チャネルは、データに対して元々割り当てられていたリソース内にあってもよいし、なくてもよい。
【００４５】
図１６は、本発明のいくつかの好ましい実施形態による、送信ノードにおける方法を示すフローチャートである。方法は、８０２において、所定の長さを有する第１の送信間隔にわたって第１のユーザ機器（ＵＥ）へのダウンリンク送信をスケジューリングすることを含む。これは、第１のＵＥへのスケジューリング割り当てを送ることを含むことができる。方法はさらに、８０４において、第１の送信間隔において第１のＵＥへのダウンリンク送信を開始することと、８０６において、第１のＵＥへのダウンリンク送信における送信ホールの第１の端を生成するために第１の送信間隔が終わる前に第１のＵＥへのダウンリンク送信を停止することとを含むことができる。方法はさらに、８０８において、送信ホールの第２の端において第１のＵＥへのダウンリンク送信を再開することを含む。
【００４６】
方法は、１６０２において、送信ホール内で、第２のＵＥからアップリンク送信を受信することをさらに含むことができる。より詳細には、方法は、１６００において、第１の送信間隔の所定の長さより短い所定の長さを有する第２の送信間隔において第２のＵＥへのダウンリンク送信を開始することであって、第２の送信間隔は、第１の送信間隔と少なくとも部分的に重複する、開始することと、１６０２において、送信ホールにおいて第２のＵＥからのアップリンク送信を受信することとを含むことができる。いくつかの実施形態では、方法は、１６００において、第１の送信間隔の所定の長さより短い所定の長さを有する第２の送信間隔において第２のＵＥへのダウンリンク送信を開始することを含むことができ、ダウンリンク送信の停止８０６および再開８０８は、第２の送信間隔の終わりと送信ホールを整合させるように行われてよい。いくつかの実施形態では、第１の送信間隔は、所定の固定された継続時間の２つ以上のサブインターバルを含むことができる。この場合、例として、第２の送信間隔は、所定の長さの１つのサブインターバルを有することができ、送信ホールは、第２の送信間隔が終わる前または直後であってよい。
【００４７】
代替的には、方法は、１６０４において、送信ホールにおいて第２のＵＥへの優先順位が高いダウンリンク送信を送信することを含むことができる。
【００４８】
（図１６に示されない）いくつかの実施形態では、方法は、送信ホールの第１の端および第２の端を定める送信ホール情報を受信することと、送信ホール情報に従ってダウンリンク送信の停止８０６および再開８０８を行うこととを含むことができる。例えば、第１の送信間隔が所定の固定された継続時間の２つ以上のサブインターバルを含む実施形態では、送信ホール情報は、第１の送信間隔の２つ以上のサブインターバルが送信ホールを有することになるように定めてよい。送信ホール情報は、動的にシグナリングされたフラグまたはビットマップであってよい。
【００４９】
第１の送信間隔が所定の固定された継続時間の２つ以上のサブインターバルを含むいくつかの実施形態では、ダウンリンク送信の停止８０６および再開８０８は、２つ以上のサブインターバルのそれぞれにおいて第１のＵＥへのダウンリンク送信において送信ホールを生成するために行われてよい。しかしながら、例えば上で論じられるように、他の実施形態が可能である。
【００５０】
さらに、第１のＵＥへのダウンリンク送信を停止すること８０６および再開すること８０８は、送信ホールの継続時間でダウンリンク送信の送信シンボルを保持すること１６０６と、ダウンリンク送信の再開の際、保持された送信シンボルを送信すること１６０８とを含むことができる。さらに、または代替的には、方法はさらに、送信ホールが必要とされることの判断に応答して、送信されるべきデータブロックに対するレートマッチングを変更すること、および送信ホール周辺で第１の送信間隔においてダウンリンク送信の残りのデータをマッピングすることによってダウンリンク送信への送信ホールの影響を軽減すること１６１０を含むことができる。
【００５１】
好ましい実施形態では、方法はさらに有利には、１６１２において、第１のＵＥへのダウンリンク送信に含まれるまたは関連付けられたシグナリングを送ることであって、シグナリングは送信ホールの存在を指示する、送ることを含むことができる。例えば、シグナリングは、静的にまたは半静的に構成されるホールパターンのセット内へのフラグまたはビットマップまたはポインタなどの送信ホール情報を含むことができる。送信ホール情報は、ダウンリンク送信をスケジューリングするために第１のＵＥに送られるスケジューリング割り当てに含まれてよい。代替的には、送信ホール情報は、例えば、ダウンリンク制御チャネル上でシグナリング可能である。
【００５２】
図１７は、本発明のいくつかの好ましい実施形態による、ユーザ機器（ＵＥ）における方法を示すフローチャートである。方法は、１００２において、ＵＥへのダウンリンク送信が所定の長さを有する第１の送信間隔でスケジューリングされていることを判断することを含む。これはスケジューリング割り当てを受信することを含んでよい。方法はさらに、１００４において、第１の送信間隔においてダウンリンク送信を受信し始めることを含む。方法はさらに、１００６において、第１の送信間隔が終わる前に、ＵＥへのダウンリンク送信における送信ホールの存在を検出することと、１００８において、送信ホールによって生じたダウンリンク送信への影響を軽減することとを含む。検出すること１００６は、ＵＥが１００４においてダウンリンク送信を受信し始める前に、後に、または同時に生じる場合があることは、留意されたい。
【００５３】
いくつかの実施形態では、送信ホールの存在を検出すること１００６は、パイロット信号の変更またはダウンリンク送信のチャネル予測に基づいて送信ホールの存在を検出すること１７０２を含んでよい。代替的には、送信ホールの存在を検出すること１００６は、ダウンリンク送信に含まれるまたは関連付けられたシグナリングに基づいて送信ホールの存在を検出すること１７０４を含むことができる。この場合、検出すること１７０４は、そのように、ダウンリンク送信に含まれるまたは関連付けられたシグナリングを受信することであって、シグナリングは送信ホールの存在を指示する、受信することを含むことができる。
【００５４】
いくつかの実施形態では、ダウンリンク送信への影響を軽減すること１００８は、チャネル追跡のためにフィルタ設定を変更すること１７０６を含んでよい。ダウンリンク送信への影響を軽減すること１００８は、代替的には、送信ホールの存在を検出することに応答して、第１の送信間隔において受信されるデータブロックのレートマッチングを変更し、かつ、送信ホールの前および後に、第１の送信間隔において受信されたデータシンボルを使用してデータブロックを復号すること１７０８を含むことができる。ダウンリンク送信への影響を軽減すること１００８は、代替的には、送信ホールに対応する１つまたは複数のシンボル時間で、チャネル復号に対する符号化ビットの軟値（ｓｏｆｔ  ｖａｌｕｅ）をゼロに設定すること１７１０を含むことができる。他の実施形態が可能であり、当業者はこれに想到するであろう。よって、ＵＥは送信ホールの影響を考慮することができる。
【００５５】
図７に関して上で説明したように、実施形態によると、送信ノード３０は、送信を送りかつ受信するように構成される送受信回路構成３６、および処理回路構成４０を含む。処理回路構成４０は、送受信回路構成を介して、所定の長さを有する第１の送信間隔にわたって第１のユーザ機器（ＵＥ）へのダウンリンク送信をスケジューリングするように、第１の送信間隔において第１のＵＥへのダウンリンク送信を開始するように、第１のＵＥへのダウンリンク送信における送信ホールの第１の端を生成するために第１の送信間隔が終わる前に第１のＵＥへのダウンリンク送信を停止するように、および、送信ホールの第２の端において第１のＵＥへのダウンリンク送信を再開するように構成される。
【００５６】
処理回路構成４０は、有利には、第１のＵＥへのダウンリンク送信に含まれるまたは関連付けられたシグナリングを送るようにさらに構成されてよく、該シグナリングは送信ホールの存在を指示する。
【００５７】
処理回路構成４０は、送信ホール内で第２のＵＥからアップリンク送信を受信するようにさらに構成されてよい。処理回路構成４０は、第１の送信間隔の所定の長さより短い所定の長さを有する第２の送信間隔において第２のＵＥへのダウンリンク送信を開始することであって、第２の送信間隔は、第１の送信間隔と少なくとも部分的に重複する、開始することと、送信ホールにおいて第２のＵＥからのアップリンク送信を受信することとを行うように構成可能である。処理回路構成４０は、第１の送信間隔の所定の長さより短い所定の長さを有する第２の送信間隔において第２のＵＥへのダウンリンク送信を開始するように構成されてよく、ダウンリンク送信の停止および再開は、第２の送信間隔の終わりと送信ホールを整合させるように行われる。
【００５８】
処理回路構成４０は、代替的には、送信ホールにおいて第２のＵＥへの優先順位が高いダウンリンク送信を送信するように構成されてよい。
【００５９】
いくつかの実施形態では、処理回路構成４０は、送信ホールの第１の端および第２の端を定める送信ホール情報を受信するように、および送信ホール情報に従ってダウンリンク送信を停止および再開するように構成可能である。
【００６０】
第１の送信間隔は、所定の固定された継続時間の２つ以上のサブインターバルを含むことができる。この場合、処理回路構成４０は、所定の長さの１つのサブインターバルを有する第２の送信間隔において第２のＵＥへのダウンリンク送信を開始するように、および、送信ホールにおいて第２のＵＥからのアップリンク送信を受信するように構成可能であり、送信ホールは、第２の送信間隔が終わる前または終わる直後とする。処理回路構成４０は、第１の送信間隔の２つ以上のサブインターバルが送信ホールを有することになるように定める送信ホール情報を受信するように、および、送信ホール情報に従ってダウンリンク送信を停止および再開するように構成可能である。送信ホール情報は、動的にシグナリングされたフラグまたはビットマップであってよい。いくつかの実施形態では、処理回路構成４０は、２つ以上のサブインターバルのそれぞれにおいて第１のＵＥへのダウンリンク送信において送信ホールを生成するためにダウンリンク送信を停止および再開するように構成されてよい。
【００６１】
いくつかの実施形態では、処理回路構成４０は、送信ホールの継続時間でダウンリンク送信の送信シンボルを保持するように、および、ダウンリンク送信の再開の際、保持された送信シンボルを送信するように構成されてよい。
【００６２】
いくつかの実施形態では、処理回路構成４０は、送信ホールが必要とされることの判断に応答して、送信されるべきデータブロックに対するレートマッチングを変更すること、および送信ホール周辺で第１の送信間隔においてダウンリンク送信の残りのデータをマッピングすることによってダウンリンク送信への送信ホールの影響を軽減するように構成可能である。
【００６３】
さらに、図９に関して上で説明されるように、実施形態によると、ユーザ機器（ＵＥ）５０は、送信を送りかつ受信するように構成される送受信回路構成５６、および処理回路構成６０を含む。処理回路構成６０は、送受信回路構成５６を介して、ＵＥへのダウンリンク送信が所定の長さを有する第１の送信間隔でスケジューリングされることを判断するように、第１の送信間隔においてダウンリンク送信を受信し始めるように、第１の送信間隔が終わる前に、ＵＥへのダウンリンク送信における送信ホールの存在を検出するように、および、送信ホールによって生じたダウンリンク送信への影響を軽減するように構成される。
【００６４】
処理回路構成６０は、パイロット信号の変更またはダウンリンク送信のチャネル予測に基づいて送信ホールの存在を検出するように構成されてよい。代替的には、処理回路構成６０は、ダウンリンク送信に含まれるまたは関連付けられたシグナリングに基づいて送信ホールの存在を検出するように構成されてよい。
【００６５】
処理回路構成６０は、チャネル追跡のためにフィルタ設定を変更することによって、ダウンリンク送信への影響を軽減するように構成可能である。処理回路構成６０は、送信ホールの存在を検出することに応答して、第１の送信間隔において受信されるデータブロックのレートマッチングを変更し、かつ、送信ホールの前および後に、第１の送信間隔において受信されたデータシンボルを使用してデータブロックを復号することによって、ダウンリンク送信への影響を軽減するように構成可能である。処理回路構成６０は、送信ホールに対応する１つまたは複数のシンボル時間で、チャネル復号に対する符号化ビットの軟値をゼロに設定することによって、ダウンリンク送信への影響を軽減するように構成可能である。
【００６６】
いくつかの実施形態によると、送信ノードにおけるプロセッサに対するプログラム命令を含むコンピュータプログラム製品であって、上記プログラム命令は、プログラム命令がプロセッサによって実行される時、送信ノードに、所定の長さを有する第１の送信間隔にわたって第１のユーザ機器（ＵＥ）へのダウンリンク送信をスケジューリングすることと、第１の送信間隔において第１のＵＥへのダウンリンク送信を開始することと、第１のＵＥへのダウンリンク送信における送信ホールの第１の端を生成するために第１の送信間隔が終わる前に第１のＵＥへのダウンリンク送信を停止することと、送信ホールの第２の端において第１のＵＥへのダウンリンク送信を再開することとを行わせるように構成される、コンピュータプログラム製品がさらに提供される。
【００６７】
非一時的なコンピュータ可読媒体は、コンピュータプログラム製品を記憶して含んでよい。
【００６８】
いくつかの実施形態によると、ユーザ機器（ＵＥ）におけるプロセッサに対するプログラム命令を含むコンピュータプログラム製品であって、上記プログラム命令は、プログラム命令がプロセッサによって実行される時、ＵＥに、ＵＥへのダウンリンク送信が所定の長さを有する第１の送信間隔でスケジューリングされていることを判断することと、第１の送信間隔においてダウンリンク送信を受信し始めることと、第１の送信間隔が終わる前に、ＵＥへのダウンリンク送信における送信ホールの存在を検出することと、送信ホールによって生じたダウンリンク送信への影響を軽減することとを行わせるように構成される、コンピュータプログラム製品がさらに提供される。
【００６９】
非一時的なコンピュータ可読媒体は、コンピュータプログラム製品を記憶して含んでよい。
【００７０】
本開示において、非限定的という意味で使われる無線ネットワークノード、または単なるネットワークノード３０が使用可能である。該ネットワークノードは、ＵＥをサーブする、および／またはＵＥが信号を受信する場所から、他のネットワークノード、またはネットワークエレメント、または任意の無線ノードに接続される任意のタイプのネットワークノードに言及する。さまざまなタイプの無線ネットワークノードの例は、ノードＢ、基地局（ＢＳ）、ＭＳＲ  ＢＳなどのマルチスタンダード無線（ＭＳＲ）ノード、ｅＮｏｄｅ  Ｂ、ネットワークコントローラ、無線ネットワークコントローラ（ＲＮＣ）、基地局コントローラ（ＢＳＣ）、中継器、ドナーノード制御中継器、ベーストランシーバ基地局（ＢＴＳ）、アクセスポイント（ＡＰ）、送信ポイント、送信ノード、ＲＲＵ、ＲＲＨ、分散アンテナシステム（ＤＡＳ）におけるノードなどである。非限定的という意味で使われるユーザ機器（ＵＥ）またはモバイル端末も使用されてよい。これらの用語は、セルラーまたはモバイル通信システムにおいて無線ネットワークノードと通信する任意のタイプのワイヤレスデバイスに言及する。ＵＥの例は、ターゲットデバイス、デバイス間（Ｄ２Ｄ）ＵＥ、マシン型ＵＥまたはマシン間通信（Ｍ２Ｍ）対応ＵＥ、ＰＤＡ、タブレット、モバイル端末、スマートフォン、ラップトップを埋め込み搭載した（ＬＥＥ）ラップトップ装着機器（ＬＭＥ）、ＵＳＢドングルなどである。モバイル端末という用語は、これらのアクセス端末タイプのいずれかおよび全てに言及することを意味し、これらのうちのいくつかは所与の場所に固定されてよい。よって、モバイル端末は必ずしも「モバイル」であるというわけではない。
【００７１】
本明細書において説明された技法および装置は５Ｇシステムにおいて使用されることが予想されているが、ＬＴＥシステムの仕様で使用される専門用語は、便宜上本明細書において使用されてよい。同じまたは同様のパラメータ、チャネルなどに他の名称を適用してよいことは理解されるであろう。本明細書において説明された技法および装置がＬＴＥおよび／または他のシステムとの過去との互換性のために設計可能であるが、必ずしもそうでないことも、理解されるべきである。ここで開示された技法および装置の実施形態は、ＵＥの、シングルキャリア、および、マルチキャリア（ＭＣ）またはキャリアアグリゲーション（ＣＡ）動作にも適用可能である。
【００７２】
図１４は、例えば、処理回路構成４０に基づいて、ネットワークノード３０などの送信ノードにおいて実装可能であるような機能モジュールまたは回路アーキテクチャの例を示す。示された実施形態は、少なくとも機能的に、所定の長さを有する第１の送信間隔にわたって第１のＵＥへのダウンリンク送信をスケジューリングするためのスケジューリングモジュール１４０２と、第１の送信間隔において第１のＵＥへのダウンリンク送信を開始するための開始モジュール１４０４とを含む。実装形態はまた、第１のＵＥへのダウンリンク送信における送信ホールの第１の端を生成するために第１の送信間隔が終わる前に第１のＵＥへのダウンリンク送信を停止するための停止モジュール１４０６と、送信ホールの第２の端において第１のＵＥへのダウンリンク送信を再開するための再開モジュール１４０８とを含む。
【００７３】
図１５は、例えば、処理回路構成６０に基づいて、ＵＥ５０などの受信機またはワイヤレス端末において実装可能であるような機能モジュールまたは回路アーキテクチャの例を示す。示された実施形態は、少なくとも機能的に、ＵＥへのダウンリンク送信が所定の長さを有する第１の送信間隔でスケジューリングされていることを判断するための判断モジュール１５０２と、第１の送信間隔においてダウンリンク送信を受信し始めるための開始用モジュール１５０４とを含む。実装形態はまた、第１の送信間隔が終わる前に、ＵＥへのダウンリンク送信における送信ホールの存在を検出するための検出モジュール１５０６と、送信ホールによって生じたダウンリンク送信への影響を軽減するための軽減モジュール１５０８とを含む。
【００７４】
特に、開示された発明の修正および他の実施形態は、前述の説明および関連の図面に提示された教示の利益を有することに、当業者は想到するであろう。従って、本発明が、開示された特有の実施形態に限定されず、修正および他の実施形態が本開示の範囲内に含まれることが意図されることは理解されたい。特有の用語が本明細書に採用されている場合があるが、これら用語は、単に一般的かつ記述的な意味で使用され、限定する目的で使用されない。
【図１】
2019501559.tif 000003
【図２】
2019501559.tif 000004
【図３】
2019501559.tif 000005
【図４】
2019501559.tif 000006
【図５】
2019501559.tif 000007
【図６】
2019501559.tif 000008
【図７】
2019501559.tif 000009
【図８】
2019501559.tif 000010
【図９】
2019501559.tif 000011
【図１０】
2019501559.tif 000012
【図１１】
2019501559.tif 000013
【図１２】
2019501559.tif 000014
【図１３】
2019501559.tif 000015
【図１４】
2019501559.tif 000016
【図１５】
2019501559.tif 000017
【図１６−１】
2019501559.tif 000018
【図１６−２】
2019501559.tif 000019
【図１７−１】
2019501559.tif 000020
【図１７−２】
2019501559.tif 000021
【国際調査報告】
2019501559.tif 000022
2019501559.tif 000023
2019501559.tif 000024